(57)【特許請求の範囲】
【請求項１】
表面を備えた熱硬化性ポリウレタンカバーを有するゴルフボールであって、
上記表面上に設けられ、他のどのディンプルセットとも異なる直径を有するディンプルをそれぞれ有する複数の異なるディンプルセットを含み、
複数の異なるディンプルセットのそれぞれのディンプルの、ディンプルの湾曲の変曲点から伸張する仮想水平面からディンプルの底までの深さである翼弦深さは、0.0045×25.4mmから0.0060×25.4mmの範囲内であり、
複数の異なるディンプルセットのそれぞれのディンプルは、それぞれ13.4度と15.7度の範囲内のエントリーアングルを有し、上記エントリーアングルは、ディンプルの湾曲の第１変曲点から外側に延長される接線と、ディンプルのエッジ半径の始点である第２変曲点から外側に延長される接線との交差角（ＥＡ）であり、前記変曲点とは、ディンプルを構成する凹曲線と凸曲線との間の変化点であり、
レイノルズ数70,000、及び回転数2,000rpmで0.18より大きい揚力係数を有し、レイノルズ数180,000、及び回転数3,000rpmで0.232より小さい抗力係数を有する、ゴルフボール。
【請求項２】
上記熱硬化性ポリウレタンカバーは、0.030×25.4mmから0.038×25.4mmの範囲内の厚さを有する、請求項１記載のゴルフボール。
【請求項３】
複数の異なるディンプルセットのそれぞれのディンプルは、0.020×25.4mmから0.050×25.4mmの範囲内のエッジ半径を有し、エッジ半径とは、上記表面からディンプルへと遷移する際の曲率半径（ＥＲ）である、請求項１記載のゴルフボール。
【発明の詳細な説明】
【０００１】
［本発明の属する技術分野］
本発明は、熱硬化性ポリウレタンカバーを備えたゴルフボールに係り、より詳細には、熱硬化性ポリウレタンカバーを備えたゴルフボールに対するディンプルパターンであって、異なるサイズのディンプルを有するディンプルパターンに関する。
【０００２】
［従来の技術］
ゴルファーは、早くも１８００年代には、くぼみのある表面を備えたゴルフボールは滑らかな表面のものよりも良く飛ぶことを実感していた。手で打ち込みをしたグッタペルカのゴルフボールは、少なくとも１８６０年代までは購入することができ、ブランブル（へこみというよりこぶ）のゴルフボールは、１８００年代後半から１９０８年までの主流になった。１９０８年、イギリス人のWilliam Taylorは、ブランブルのゴルフボールよりも良好で正確に飛ぶくぼみ（ディンプル）を備えたゴルフボールについて特許をうけた。A. G. Spalding & Bros.は、その特許に対しての米国の権利を購入し、TAYLORディンブルを特徴としたGLORYボールを紹介した。１９７０年代まで、GLORYボール、及びディンプルを備えた他の大部分のゴルフボールは、同じパターン、すなわちATTIパターンを使用した同じ大きさの336個のディンプルを有していた。ATTIパターンは、8つの同心の直線列に分割された、八面体のパターンであり、ゴルフボールの金型の主要創作者の名を取って名付けられた。
【０００３】
この６０年間でゴルフボールの表面に関する革新は、メッシュパターン化されたゴルフボールをダンロップのため発明したAlbert Penfoldからしか生まれなかった。このパターンは、１９１２年に発明され、１９３０年代まで受け入れられた。
【０００４】
１９７０年代には、ディンプルパターンの革新が主要ゴルフボール製造業者から出現した。１９７３年には、Titleistは、ゴルフボールを２０個の三角形領域に分割する二十面体のパターンを紹介した。二十面体パターンは、John Vernon Pughに英国特許377,354号において開示されるが、このパターンは、ゴルフボールの金型の一般的には分割ラインに相当するゴルフボールの赤道上に存在するディンプルを有した。それにもかかわらず、二十面体パターンは、今日のゴルフボールの支配的パターンとなった。
【０００５】
１９７０年代及び１９８０年代には、主要ゴルフボール製造業者の数学者たちは、ゴルフボールのディンプル表面積（ディンプルによって被覆された面積）を増加することにその意図を集中させた。ATTIパターンのゴルフボールのディンプル面は、略50％である。１９７０年代には、ディンプル表面積は、増加され、ゴルフボールの表面の60％より大きくなった。更に、画期的発明は、ディンプル表面を70％を越えるまでに増加させた。William Gobushに付与された米国特許第4,949,976号は、最高422個のディンプルを備えた78％のディンプル適用範囲を有するゴルフボールを開示する。１９９０年代には、80％の適用範囲を突破するディンプル表面積が見受けられる。
【０００６】
ゴルフボール表面上の異なるディンプルの数もまた表面積適用範囲と共に増加する。ATTIパターンは、ディンプルの一サイズのみを備えたディンプルパターンを開示した。異なるディンプルタイプの数が増加し、３つのディンプルタイプが異なるディンプルタイプの好ましい数になった。Oka他による米国特許第4,463号は、表面上に４つの異なるディンプルタイプを備え、ディンプルの無い面が追加のディンプルを含むことができないディンプルパターンを開示する。Steven Aoyamaによる英国特許出願番号2157959は、５つの異なる直径を備えたディンプルを開示する。更に、William Gobushは、１１個の異なる直径を備えたディンプルを有するアルキメデス十四面体パターンを発明した。“500 Year of Golf Balls, Antique Trade Books”の189ページを参照されたい。しかし、複数のディンプルを備えたゴルフボールに対するディンプルパターンは、そのゴルフボールが商品化され、かつ一般的なゴルファーにとってプレイ時に使用可能であってはじめて、価値あるものとなる。
【０００７】
更に、ディンプルパターンは、八面体、十二面体及び二十面体パターンのような区分された形状に基づいてきた。米国特許第5,201,522号は、同等にディンプルの数を用いた５角形構成を有するディンプルパターンを備えたゴルフボールを開示する。米国特許第4,880,241号は、修正された二十面体パターンを有し、小三角形領域が赤道に沿って存在しディンプルのない赤道が提供されたゴルフボールディンプルパターンを開示する。
【０００８】
ゴルフボールディンプルパターンに関して発行された何百もの特許があるが、現在のディンプルパターン、特に熱硬化性ポリウレタンカバーを備えたゴルフボールに対するディンプルパターンに関して改善する余地が残されている。Maxfli REVOLUTION、Maxfli HT、Titleist PROFESSINAL、Titleist TOUR PRESTIGE、及びSlazenger RAM 420のような熱硬化性ポリウレタンカバーを備えたゴルフボールの全ては、増加されたスピン特性、より大きな抵抗値、及び製造上の困難性を含むポリウレタン材料の固有特性を補償する必要がある。熱硬化性ポリウレタンカバーを備えたゴルフボールの空気力学特性を最大化するように設計されたディンプルパターンに対する要求が依然として存在する。
【０００９】
［発明の概要］
本発明は、ゴルフボールへの高速時の抗力を低減させつつ低速時の揚力を増加させる新規のディンプルパターンを提供することにより、より長距離を移動するゴルフボールを提供する。本発明は、ゴルフボールの表面の86％を覆うパターンで配列された複数のディンプルセットを設置することによってかかる事項を達成する。
【００１０】
本発明の一局面は、少なくとも下塗りで被覆された表面を備えた熱硬化性カバーを有するゴルフボール上のディンプルパターンである。好ましい熱硬化性材料は、ポリウレタンであるが、当業者であれば、他の熱硬化性材料も本発明の実施の際に使用されてよいことを認識するだろう。ゴルフボールは、表面上に設置された複数の異なるディンプルセットを含む。異なるディンプルセットは、他のどのディンプルセットとも異なる直径を有する。複数の異なるディンプルセットのディンプルのそれぞれの深さは、各ディンプルの翼弦から0.0060インチまでに制限される。複数の異なるディンプルセットのディンプルのそれぞれの深さは、翼弦から0.0045インチと0.0060インチの間であってよい。複数の異なるディンプルセットのディンプルのそれぞれはエントリーアングルを有し、エントリーアングルのそれぞれは、14度と16度の間であってよい。複数の異なるディンプルセットのディンプルのそれぞれはエッジ半径を有し、エッジ半径のそれぞれは、0.020インチと0.050インチの間であってよい。
【００１１】
本発明のその他の局面は、低速時にはより大きな揚力を高速時にはより小さい抗力を提供する、熱硬化性ポリウレタンカバーを備えたゴルフボール上のディンプルパターンである。ゴルフボールは、被覆された熱硬化性ポリウレタンカバーの表面上に設置された複数の異なるディンプルセットを含む。異なるディンプルセットのそれぞれは、他のどのセットとも異なる直径を有する。複数の異なるディンプルセットは、ゴルフボールの表面の少なくとも83％を覆う。ゴルフボールは、レイノルズ数70,000、及び回転数2,000rpmで0.18より大きい揚力係数を有し、レイノルズ数180,000、及び回転数3,000rpmで0.232より小さい抗力係数を有する。
【００１２】
［本発明のベストモード］
図１乃至図３に示すように、ゴルフボールは、一般的に符号２０で示される。ゴルフボールは、ワンピース、ツーピース、スリーピース若しくはその類のゴルフボールであってよい。更に、スリーピースのゴルフボールは、巻き層、固体境界層を有してよい。ゴルフボール２０のカバー２１は、どんな適切な材料から構成されてよい。好ましいカバー２１は、熱硬化性ポリウレタン材料から構成される。しかし、当業者であれば、他のカバー材料も本発明の観点及び精神を逸脱することなく使用されてよいことを認識するだろう。ゴルフボール２０は、下塗り及び／又は上塗りの仕上げを有してよい。
【００１３】
ゴルフボール２０は、表面２２を有する。ゴルフボール２０は、更に赤道２４を有し、第１半球２６と第２半球２８とにゴルフボール２０を分割する。第１極３０は、第１半球２６内に、赤道２４から緯度の円弧に沿って90度の位置で配置される。第２極３２は、第２半球２８内に、赤道２４から緯度の円弧に沿って90度の位置で配置される。
【００１４】
両半球２６及び２８における表面２２上には、７つの異なるディンプルセットに分割された382個のディンプルが存在する。第１のディンプルセット３４は、好ましい実施例では220個のディンプルから成る最も数の多いディンプルである。第２のディンプルセット３６は、次に数の多いディンプルであり、100個のディンプルから成る。第３のディンプルセット３８及び第４のディンプルセット４０は、次に数が多く、好ましい実施例ではそれぞれ20個のディンプルから成る。第５のディンプルセット４２及び第６のディンプルセット４４は、次に数が多く、好ましい実施例ではそれぞれ10個のディンプルから成る。第７のディンプルセット４６は、2個のみのディンプルから成る。好ましい実施例では、382個のディンプルは、ゴルフボールの表面２２の86％を占める。
【００１５】
第７のディンプルセット４６の2個のディンプルは、各極３０、及び３２にそれぞれ設置される。第５のディンプルセット４２のそれぞれは、第７のディンプルセット４６の一のディンプルの近傍にある。第１半球２６内に設置された第５のディンプルセット４２の5個のディンプルは、赤道２４及び第１極３０からそれぞれ同一距離にある。第２半球２８内に設置された第５のディンプルセット４２の5個のディンプルは、赤道２４及び第２極３２からそれぞれ同一距離にある。これらの極にあるディンプル４２及び４６は、ゴルフボール２０の表面２２の略2％を占める。
【００１６】
第５のディンプルセット４２のディンプル断面は、図８に示される。ディンプル４２の半径Ｒ5は略0.072インチ（1インチは、25.4mmである）、翼弦深さＣ5は略0.0054インチ、エントリーアングルθ5は略15.7度、エッジ半径ＥＲ5は略0.0336インチである。第７のディンプルセット４６のディンプル断面は、図１０に示される。ディンプル４２の半径Ｒ7は略0.0510インチ、翼弦深さＣ7は略0.0049インチ、エントリーアングルθ7は略13.4度、エッジ半径ＥＲ7は略0.0336インチである。
【００１７】
第６のディンプルセット４４の10個のディンプルは、ゴルフボール２０の表面２２の略3％を占める。第１半球２６内に設置された第６のディンプルセット４４の5個のディンプルは、赤道２４及び第１極３０からそれぞれ同一距離にある。第２半球２８内に設置された第６のディンプルセット４４の5個のディンプルは、赤道２４及び第２極３２からそれぞれ同一距離にある。また、第６のディンプルセット４４のそれぞれは、３つの異なるディンプルセット３４,３６及び４０の近傍にある。
【００１８】
第６のディンプルセット４４のディンプル断面は、図９に示される。ディンプル４４の半径Ｒ6は略0.0930インチ、翼弦深さＣ6は略0.0051インチ、エントリーアングルθ6は略15.2度、エッジ半径ＥＲ6は略0.0333インチである。第６のディンプルセット４４の群を抜いて大きい直径は、本発明のディンプルパターンの並外れた表面適用範囲を可能とする。これは、直径が小さいほどより大きな表面適用範囲が提供されると教授する従来の考えとは逆である。
【００１９】
第４のディンプルセット４０の全てのディンプルは、第６のディンプルセット４４のディンプルの少なくとも一の近傍にある。第４のディンプルセット４０の20個のディンプルは、ゴルフボール２０の表面２２の略2.7％を覆う。第１半球２６内に設置された第４のディンプルセット４０の10個のディンプルは、赤道２４及び第１極３０からそれぞれ同一距離にある。第２半球２８内に設置された第４のディンプルセット４０の10個のディンプルは、赤道２４及び第２極３２からそれぞれ同一距離にある。また、第４のディンプルセット４０のそれぞれは、３つの異なるディンプルセット３６,３８及び４４の近傍にある。
【００２０】
第４のディンプルセット４０のディンプル断面は、図７に示される。ディンプル４０の半径Ｒ4は略0.062インチ、翼弦深さＣ4は略0.0052インチ、エントリーアングルθ4は略15.2度、エッジ半径ＥＲ4は略0.0358インチである。
【００２１】
第３のディンプルセット３８の全てのディンプルは、第６のディンプルセット４４のディンプルの少なくとも一の近傍にある。第３のディンプルセット３８の20個のディンプルは、ゴルフボール２０の表面２２の略3.8％を覆う。第１半球２６内に設置された第３のディンプルセット３８の10個のディンプルは、赤道２４及び第１極３０からそれぞれ同一距離にある。第２半球２８内に設置された第３のディンプルセット３８の10個のディンプルは、赤道２４及び第２極３２からそれぞれ同一距離にある。また、第３のディンプルセット３８のそれぞれは、３つの異なるディンプルセット３４,３６及び４０の近傍にある。
【００２２】
第３のディンプルセット３８のディンプル断面は、図６に示される。ディンプル３８の半径Ｒ3は略0.074インチ、翼弦深さＣ3は略0.0053インチ、エントリーアングルθ3は略15.3度、エッジ半径ＥＲ3は略0.0344インチである。
【００２３】
第１のディンプルセット３４の220個のディンプルは、ゴルフボール２０の表面２２に、その個数、サイズ、及び配置に起因して、異なるディンプルセット３４乃至４６の中で最も影響を及ぼす。第１のディンプルセット３４の220個のディンプルは、ゴルフボール２０の表面２２の略53％を覆う。第１半球２６内に設置された第１のディンプルセット３４の110個の各ディンプルは、赤道上の第１行８０及び第２行８２の形態か、図３に最もよく示されているように第１極３０まわりの星状形状８４の形態で設置される。同様に、第２半球２８内に設置された第１のディンプルセット３４の110個の各ディンプルは、赤道下の第１行９０及び第２行９２の形態か、図示されていないが、図示されていない第２極３２まわりの星状形状９４の形態で設置される。
【００２４】
第１のディンプルセット３４のディンプル断面は、図４に示される。ディンプル３４の半径Ｒ1は略0.0834インチ、翼弦深さＣ1は略0.0053インチ、エントリーアングルθ1は略15.3度、エッジ半径ＥＲ1は略0.0344インチである。先行技術における用語“エントリーアングル”若しくは“エッジ半径”の使用と異なり、ここで定義されるエッジ半径は、ディンプルの表面（contour）の凹セグメントと凸セグメントを仕切るエントリーアングルと関係して用いられる数値である。図４Ａに示すように、２つのベジエ曲線（Bezierカーブ：４つの点で規定される曲線）の１次導関数及び２次導関数は、エッジ半径及びエントリーアングルによって定義される点で同一になるようにされる。第２のディンプルセット３６の100個のディンプルは、ゴルフボール２０の表面２２に、その個数、サイズ、及び配置に起因して、異なるディンプルセット３４乃至４６の中で次に最も影響を及ぼす。第２のディンプルセット３６の100個のディンプルは、ゴルフボール２０の表面２２の略22％を覆う。従って、第１のディンプルセット３４及び第２のディンプルセット３６は、組合せてゴルフボール２０の表面２２の略75％を超えて覆うことになる。第１半球２６内に設置された第２のディンプルセット３６の50個の各ディンプルは、赤道上の第３の行８６の形態か、第１極３０まわりの第２の五角形１０２の形態か、緯度遷移領域７０に沿った形態で設置される。同様に、第２半球２８内に設置された第２のディンプルセット３６の50個の各ディンプルは、赤道２４下の第３の行９６の形態か、図示されていない第１極３０まわりの第２の五角形１０２ａの形態か、緯度遷移領域７０に沿った形態で設置される。第２のディンプルセット３６のディンプル断面は、図５に示される。ディンプル３４の半径Ｒ2は略0.079インチ、翼弦深さＣ2は略0.0053インチ、エントリーアングルθ2は略15.1度、エッジ半径ＥＲ2は略0.0315インチである。
【００２５】
図１Ａに最もよく示されているように、各半球２６及び２８は、赤道２４からの3行で始まる。第１半球２６の第１の行８０及び第２の行８２、及び第２半球２８の第１の行９０及び第２の行９２は、第１のディンプルセット３４から構成される。第１半球２６の第３の行、及び第２半球２８の第３の行９６は、第２のディンプルセット３６から構成される。この行のパターンは、ゴルフボール２０上のより大きなディンプルの表面適用範囲を実現するのに用いられる。しかし、前述のように、従来の教授は、より小さい直径のディンプルの追加の行が、より大きな表面積適用範囲を実現するのに用いられるべきであると要求するだろう。しかし、本発明のディンプルパターンは、同一のディンプルの行から五角形領域９８へと遷移していく。同様の五角形領域９８ａは、図示されていないが、第２極３２のまわりに設置される。五角形領域９８は、第１極３０から広がる５つの五角形１００，１０２，１０４，１０６、及び１０８を有する。同様の五角形１００ａ，１０２ａ，１０４ａ，１０６ａ、及び１０８ａは、第２極３２から広がる。第１の五角形１００は、第５のディンプルセット４２から構成される。第２の五角形１０２は、第２のディンプルセット３６から構成される。第３の五角形１０４は、第１のディンプルセット３４から構成される。第４の五角形１０６も、第１のディンプルセット３４から構成される。第５の五角形１０８は、第１のディンプルセット３４及び第６のディンプルセット４４から構成される。しかし、より大きな第５の五角形１０８’は、第５の五角形１０８、及び第３の行８６と第５の五角形１０８との間に設置された全てのディンプルを含む。五角形領域９８によって、本発明のディンプルパターンのより大きな表面積が可能となる。
【００２６】
図２Ｂは、五角形領域９８を構成する５つの三角形１３０乃至１３８を示す。破線１４０は、緯度遷移領域７０と重なるより大きな五角形領域９８’の範囲を示す。
【００２７】
図１Ｂに最もよく示すように、第３のディンプルセット３８、第４のディンプルセット４０及び第６のディンプルセット４４の全てのディンプルは、緯度遷移領域７０及び７２内に設置される。緯度遷移領域７０及び７２は、本発明のディンプルパターンを行８０，８２，８６，及び行９０，９２，９６から五角形領域９８及び９８ａへとそれぞれ遷移させる。緯度遷移領域７０及び７２のそれぞれは、そのそれぞれの半球２６及び２８において赤道から40度から60度の緯度範囲内の円周領域を覆う。第１の緯度遷移領域７０は、赤道２４から略緯度60に極方向の境界１２０を、赤道２４から略緯度40に赤道方向の境界１２２を有する。同様に、第２の緯度遷移領域７２は、赤道２４から略緯度60に極方向の境界１２０ａを、赤道２４から略緯度40に赤道方向の境界１２２ａを有する。
【００２８】
本発明のディンプルパターンの他にとりうる実施例は、図１１及び図１２において示される。図１１のゴルフボール２０ａ上のディンプルパターンは、５つの異なるディンプルセット３４、３６，４０，４２及び４４のみを有する。図１２のゴルフボール２０ｂ上のディンプルパターンは、６つの異なるディンプルセット３４、３６，３８，４０，４２及び４４のみを有する。ゴルフボール２０ａ及び２０ｂのディンプルパターンの両方においては、極３０及び３２に設置された第７のディンプルセットが除去され、ゴルフボール２０ａのディンプルパターンにおいては、第３のディンプルセットの全てのディンプルが第５のディンプルセット４２のディンプルによって置き換えられる。
【００２９】
飛行中のゴルフボールに作用する力は、次の飛翔経路の方程式によって計算される。
【数１】
0003676732.tif 000002
ここで、Ｆはゴルフボールに作用する力、ＦＬは揚力、ＦＤは抗力、Ｇは重力である。式Ａの揚力及び抵抗は、次の式によって計算される。
【数２】
0003676732.tif 000003
ここで、ＣＬは揚力係数、ＣＤは抗力係数、Ａはゴルフボールの最大断面積、ρは空気の密度、ｖはゴルフボールの対気速度である。
【００３０】
抗力係数ＣＤ、及び揚力係数ＣＬは、次の式を用いて計算されてよい。
【００３１】
【数３】
0003676732.tif 000004
レイノルズ数Ｒは、無次元パラメータで、慣性力と流体中を運動する物体上に作用する粘性力との比を定量化したものである。ディンプルを有するゴルフボールに対する乱流は、Ｒが40,000より大きくなる時に発生する。Ｒが40,000より小さい場合、流れは層流である。飛行中のディンプルを有するゴルフボールまわりの空気の乱流によって、滑らかなゴルフボールよりも遠くに移動されることができる。
【００３２】
レイノルズ数Ｒは、次の式から計算される。
【数４】
0003676732.tif 000005
ここで、ｖはゴルフボールの平均速度、Ｄはゴルフボールの直径（通常は1.68インチ）、ρは空気の密度（標準気圧で0.00238slugs/ft3）、μは空気の絶対粘度（標準気圧で3.74×10-7lb*sec/ft2）である。ＵＳＧＡ承認の1.68インチの直径を有するゴルフボールに対する標準気圧でのレイノルズ数Ｒ、180,000は、飛行中でゴルフボールが最も高速となる時点であってティーから打撃された200ft/s若しくは136ft/sであるゴルフボールに対応する。ＵＳＧＡ承認の1.68インチの直径を有するゴルフボールに対する標準気圧でのレイノルズ数Ｒ、70,000は、飛行中のゴルフボールが最も低速となる時点であって飛行中の頂点における78ft/s若しくは53ft/sであるゴルフボールに対応する。重力は、頂点に達した後、ゴルフボールのスピードを増加させる。
【００３３】
図１３は、Titleist PROFESSINAL、Titleist TOUR PRESTIGE、Maxfli REVOLUTION、及びMaxfli HT URETHANEとの比較における、本発明のディンプルパターンを備えたゴルフボール２０の揚力係数を示す。図１４は、Titleist PROFESSINAL、Titleist TOUR PRESTIGE、Maxfli REVOLUTION、及びMaxfli HT URETHANEとの比較における、本発明のディンプルパターンを備えたゴルフボール２０の抗力係数を示す。
【００３４】
本発明のディンプルパターンを備えたゴルフボール２０を含む比較試験のための全てのゴルフボールは、熱硬化性ポリウレタンカバーを有する。本発明のディンプルパターンを備えたゴルフボール２０は、ここで参照によりその関連部分を本明細書に結合する1999年7月27日にファイルされた米国特許第6,117,024号“A Golf Ball With A Polyurethane Cover”に示されたように構成される。本発明のディンプルパターンの空気力学特性は、低減された抗力とより大きな揚力をもたらすことにより、同様の構成のゴルフボールに比べてより長距離を移動するゴルフボール２０へと変換する。
【００３５】
ポリウレタンカバーを有する他のゴルフボールと比較して、本発明のゴルフボール２０は、高速での低い抗力係数と低速でのより大きい揚力係数とを組合せた唯一のゴルフボールである。詳細には、図１３及び図１４に示すように、レイノルズ数70,000で0.18より大きい揚力係数ＣＬとレイノルズ数180,000で0.23より小さい抗力係数ＣＤとを有する他のゴルフボールは１つもない。例えば、Titleist PROFESSINALは、レイノルズ数70,000で0.18より大きい揚力係数ＣＬを有する一方で、抗力係数ＣＤがレイノルズ数180,000で0.23より大きくなっている。更に、Maxfli REVOLUTIONは、レイノルズ数180,000で0.23より小さい抗力係数ＣＤを有する一方で、揚力係数ＣＬがレイノルズ数70,000で0.18より小さくなっている。
【００３６】
この点に関して、United States Golf Association（“ＵＳＧＡ”）及びThe Royal and Ancient Golf Club of Saint Andrewsによって承認されたゴルフ規則は、ゴルフボールの初速度を秒速250フィート（76.2m）（最大で2％の誤差が許容され秒速255フィートの初速度）に制限し、及び距離全体を280ヤード（256m）に飛距離全体の６％の誤差が加算され296.8ヤード（6％の誤差は4％まで下げてもよい）に制限する。上記ゴルフ規則の完全な説明は、ＵＳＧＡのwebページ（www.usga.org.）で入手できる。それ故に、ゴルフボール２０は、これらの制限を満足し超過しないことを可能とするディンプルパターンを有する。
【図面の簡単な説明】
【図１】  本発明のゴルフボールの好ましい実施例の赤道視による図である。
【図１Ａ】  図１の視点によりディンプルの行を示す図である。
【図１Ｂ】  図１の視点によりディンプル遷移領域を示す図である。
【図２】  図１のゴルフボールの極視による図である。
【図２Ａ】  図２の視点によりディンプルの連続的な五角形を示す図である。
【図２Ｂ】  図２の視点によりディンプルの単一の包囲五角形を示す図である。
【図３】  図１のゴルフボールの星状形状を示す極視による図である。
【図４】  本発明のゴルフボールの第１のディンプルセットのディンプルの拡大断面図である。
【図４Ａ】  エントリーアングルの定義を示すための抽出された断面図である。
【図５】  本発明のゴルフボールの第２のディンプルセットのディンプルの拡大断面図である。
【図６】  本発明のゴルフボールの第３のディンプルセットのディンプルの拡大断面図である。
【図７】  本発明のゴルフボールの第４のディンプルセットのディンプルの拡大断面図である。
【図８】  本発明のゴルフボールの第５のディンプルセットのディンプルの拡大断面図である。
【図９】  本発明のゴルフボールの第６のディンプルセットのディンプルの拡大断面図である。
【図１０】  本発明のゴルフボールの第７のディンプルセットのディンプルの拡大断面図である。
【図１１】  本発明のゴルフボールの他にとりうる実施例の赤道視による図である。
【図１２】  本発明のゴルフボールのさらに他にとりうる実施例の赤道視による図である。
【図１３】  レイノルズ数に対する揚力係数のグラフである。
【図１４】  レイノルズ数に対する抗力係数のグラフである。
【図１】
0003676732.tif 000006
【図１Ａ】
0003676732.tif 000007
【図１Ｂ】
0003676732.tif 000008
【図２】
0003676732.tif 000009
【図２Ａ】
0003676732.tif 000010
【図２Ｂ】
0003676732.tif 000011
【図３】
0003676732.tif 000012
【図４】
0003676732.tif 000013
【図４Ａ】
0003676732.tif 000014
【図５】
0003676732.tif 000015
【図６】
0003676732.tif 000016
【図７】
0003676732.tif 000017
【図８】
0003676732.tif 000018
【図９】
0003676732.tif 000019
【図１０】
0003676732.tif 000020
【図１１】
0003676732.tif 000021
【図１２】
0003676732.tif 000022
【図１３】
0003676732.tif 000023
【図１４】
0003676732.tif 000024